(57)【要約】【課題】    本発明の目的は、使用勝手を向上させることができる試香方法、展示用試香体及び試香体を提供するものである。【解決手段】    展示用試香体Ｓは、香料が入った容器１と、この容器１を複数のせる台２と、この台２に当接し、台２に置かれた容器１を覆って、容器１から生じる香りを閉じ込める蓋体５とを備え、複数の容器１は接着材を介して台２に固定され、蓋体５は、複数設けられ、使用時、蓋体５を台２から離間させて、蓋体５内の香りを嗅ぎ、不使用時、蓋体５の開口部を台２に当接して、容器１から生じる香りを蓋体５内に閉じ込めるものである。【選択図】図２
2018083865.tif 000002
【特許請求の範囲】
【請求項１】
香料が入った容器と、
この容器をのせる台と、
この台に当接し、前記台に置かれた前記容器を覆って、前記容器から生じる香りを閉じ込める蓋体とを備え、
前記蓋体を前記台から離間させて、前記蓋体内の香りを嗅ぐ
ことを特徴とする試香方法。
【請求項２】
香料が入った容器と、
この容器をのせる台と、
前記容器の開口部を覆う孔部を有する孔部付き蓋体と、
この孔部付き蓋体の前記孔部を介して、一端を前記容器内の香料内に、他端を外気に位置し、前記香料を毛細管現象により吸い上げる棒状体と、
前記台に当接し、前記台に置かれた前記容器を覆って、前記容器から生じる香りを閉じ込める蓋体とを備え、
前記蓋体を前記台から離間させて、前記蓋体内の香りを嗅ぐ
ことを特徴とする試香方法。
【請求項３】
香料が入った容器と、
この容器を複数のせる台と、
この台に当接し、前記台に置かれた前記容器を覆って、前記容器から生じる香りを閉じ込める蓋体とを備え、
前記容器及び前記蓋体は、複数設けられ、
前記複数の容器は接着材を介して前記台に固定され、
使用時、前記蓋体を前記台から離間させて、前記蓋体内の香りを嗅ぎ、
不使用時、前記蓋体の開口部を前記台に当接して、前記容器から生じる香りを前記蓋体内に閉じ込める
ことを特徴とする展示用試香体。
【請求項４】
香料が入った容器と、
この容器をのせる台と、
前記容器の開口部を覆う孔部を有する孔部付き蓋体と、
この孔部付き蓋体の前記孔部を介して、一端を前記容器内の香料内に、他端を外気に位置し、前記香料を毛細管現象により吸い上げる棒状体と、
前記台に当接し、前記台に置かれた前記容器を覆って、前記容器から生じる香りを閉じ込める蓋体とを備え、
前記容器及び前記蓋体は、複数設けられ、
前記台に設けられた複数の凹所内にそれぞれ前記容器が接着材を介して前記台に固定され、前記凹所の内壁に前記蓋体の外壁がそれぞれ当接し、
使用時、前記蓋体を前記台から離間させて、前記蓋体内の香りを嗅ぎ、
不使用時、前記蓋体の開口部を前記台に当接して、前記容器から生じる香りを前記蓋体内に閉じ込める
ことを特徴とする展示用試香体。
【請求項５】
香料が入った容器と、
この容器をのせる台と、
この台に当接し、前記台に置かれた前記容器を覆って、前記容器から生じる香りを閉じ込める蓋体とを備えている
ことを特徴とする試香体。
【請求項６】
香料が入った容器と、
この容器をのせる台と、
前記容器の開口部を覆う孔部を有する孔部付き蓋体と、
この孔部付き蓋体の前記孔部を介して、一端を前記容器内の香料内に、他端を外気に位置し、前記香料を毛細管現象により吸い上げる棒状体と、
前記台に当接し、前記台に置かれた前記容器を覆って、前記容器から生じる香りを閉じ込める蓋体とを備えている
ことを特徴とする試香体。
【請求項７】
容器は台に接着材を介して取り付けられている
ことを特徴とする請求項５又は請求項６記載の試香体。
【請求項８】
台に設けられた凹所内に容器が載置され、前記凹所の内壁に蓋体の外壁が当接している
ことを特徴とする請求項５又は請求項６は請求項７記載の試香体。
【請求項９】
棒状体の他端に球体を取り付け、この球体の球面を孔部の縁部に当接させる
ことを特徴とする請求項６記載の試香体。
【発明の詳細な説明】
【技術分野】
【０００１】
本発明は、試香方法、展示用試香体及び試香体に係り、特に、使用勝手を向上させることができる試香方法、展示用試香体及び試香体に関する。
【背景技術】
【０００２】
従来、例えば、イメージする香料を得たい場合、香料の入った容器の蓋を開けて嗅いでみたり、また、香料をムエット（試香紙）につけ、嗅いでみて、イメージに合った香りの組み合わせを探すようにしている。
【発明の概要】
【発明が解決しようとする課題】
【０００３】
しかしながら、上記にあっては、香料の入った容器の蓋を一々開け、使用後、容器の蓋を一々締めなければならず、使用勝手が良好でないという問題点があった。
【０００４】
本発明は、上記要望を考慮してなされた試香方法、展示用試香体及び試香体を提供することを目的とする。
【課題を解決するための手段】
【０００５】
請求項１記載の試香方法は、香料が入った容器と、この容器をのせる台と、この台に当接し、前記台に置かれた前記容器を覆って、前記容器から生じる香りを閉じ込める蓋体とを備え、前記蓋体を前記台から離間させて、前記蓋体内の香りを嗅ぐものである。
【０００６】
また、請求項２記載の試香方法は、香料が入った容器と、この容器をのせる台と、前記容器の開口部を覆う孔部を有する孔部付き蓋体と、この孔部付き蓋体の前記孔部を介して、一端を前記容器内の香料内に、他端を外気に位置し、前記香料を毛細管現象により吸い上げる棒状体と、前記台に当接し、前記台に置かれた前記容器を覆って、前記容器から生じる香りを閉じ込める蓋体とを備え、前記蓋体を前記台から離間させて、前記蓋体内の香りを嗅ぐものである。
【０００７】
また、請求項３記載の展示用試香体は、香料が入った容器と、この容器を複数のせる台と、この台に当接し、前記台に置かれた前記容器を覆って、前記容器から生じる香りを閉じ込める蓋体とを備え、前記容器及び前記蓋体は、複数設けられ、前記複数の容器は接着材を介して前記台に固定され、使用時、前記蓋体を前記台から離間させて、前記蓋体内の香りを嗅ぎ、不使用時、前記蓋体の開口部を前記台に当接して、前記容器から生じる香りを前記蓋体内に閉じ込めるものである。
【０００８】
また、請求項４記載の展示用試香体は、香料が入った容器と、この容器をのせる台と、前記容器の開口部を覆う孔部を有する孔部付き蓋体と、この孔部付き蓋体の前記孔部を介して、一端を前記容器内の香料内に、他端を外気に位置し、前記香料を毛細管現象により吸い上げる棒状体と、前記台に当接し、前記台に置かれた前記容器を覆って、前記容器から生じる香りを閉じ込める蓋体とを備え、前記容器及び前記蓋体は、複数設けられ、前記台に設けられた複数の凹所内にそれぞれ前記容器が接着材を介して前記台に固定され、前記凹所の内壁に前記蓋体の外壁がそれぞれ当接し、使用時、前記蓋体を前記台から離間させて、前記蓋体内の香りを嗅ぎ、不使用時、前記蓋体の開口部を前記台に当接して、前記容器から生じる香りを前記蓋体内に閉じ込めるものである。
【０００９】
また、請求項５記載の試香体は、香料が入った容器と、この容器をのせる台と、この台に当接し、前記台に置かれた前記容器を覆って、前記容器から生じる香りを閉じ込める蓋体とを備えているものである。
【００１０】
また、請求項６記載の試香体は、香料が入った容器と、この容器をのせる台と、前記容器の開口部を覆う孔部を有する孔部付き蓋体と、この孔部付き蓋体の前記孔部を介して、一端を前記容器内の香料内に、他端を外気に位置し、前記香料を毛細管現象により吸い上げる棒状体と、前記台に当接し、前記台に置かれた前記容器を覆って、前記容器から生じる香りを閉じ込める蓋体とを備えているものである。
【００１１】
また、請求項７記載の試香体は、請求項５又は請求項６記載の試香体において、容器は台に接着材を介して取り付けられているものである。
【００１２】
また、請求項８記載の試香体は、請求項５又は請求項６は請求項７記載の試香体において、台に設けられた凹所内に容器が載置され、前記凹所の内壁に蓋体の外壁が当接しているものである。
【００１３】
また、請求項９記載の試香体は、請求項６記載の試香体において、棒状体の他端に球体を取り付け、この球体の球面を孔部の縁部に当接させるものである。
【発明の効果】
【００１４】
請求項１記載の試香方法によれば、香料が入った容器と、この容器をのせる台と、この台に当接し、前記台に置かれた前記容器を覆って、前記容器から生じる香りを閉じ込める蓋体とを備え、前記蓋体を前記台から離間させて、前記蓋体内の香りを嗅ぐため、使用後は、蓋体を容器を覆うように台に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体内の香り、つまり、蓋体内の空気により薄められた実際に使用する香りに近い香りを嗅ぐことができるため、香料の適否を確認することができる。
【００１５】
また、請求項２記載の試香方法によれば、香料が入った容器と、この容器をのせる台と、前記容器の開口部を覆う孔部を有する孔部付き蓋体と、この孔部付き蓋体の前記孔部を介して、一端を前記容器内の香料内に、他端を外気に位置し、前記香料を毛細管現象により吸い上げる棒状体と、前記台に当接し、前記台に置かれた前記容器を覆って、前記容器から生じる香りを閉じ込める蓋体とを備え、前記蓋体を前記台から離間させて、前記蓋体内の香りを嗅ぐため、使用後は、蓋体を容器を覆うように台に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体内の香り、つまり、蓋体内の空気により薄められた実際に使用する香りに近い香りを嗅ぐことができるため、香料の適否を確認することができ、更に、孔部付き蓋体の孔部を介して、棒状体の一端は、容器内の香料内に、棒状体の他端は、外気に位置しているため、容器内の香料が直接、外気に触れず、容器内の香料の酸化を防ぐことができる。
【００１６】
また、請求項３記載の展示用試香体によれば、香料が入った容器と、この容器を複数のせる台と、この台に当接し、前記台に置かれた前記容器を覆って、前記容器から生じる香りを閉じ込める蓋体とを備え、前記複数の容器は接着材を介して前記台に固定され、前記蓋体は、複数設けられ、使用時、前記蓋体を前記台から離間させて、前記蓋体内の香りを嗅ぎ、不使用時、前記蓋体の開口部を前記台に当接して、前記容器から生じる香りを前記蓋体内に閉じ込めるため、使用後は、蓋体を容器を覆うように台に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体内の香り、つまり、蓋体内の空気により薄められた実際に使用する香りに近い香りを嗅ぐことができるため、香料の適否を確認することができる。
【００１７】
また、請求項４記載の展示用試香体によれば、香料が入った容器と、この容器をのせる台と、前記容器の開口部を覆う孔部を有する孔部付き蓋体と、この孔部付き蓋体の前記孔部を介して、一端を前記容器内の香料内に、他端を外気に位置し、前記香料を毛細管現象により吸い上げる棒状体と、前記台に当接し、前記台に置かれた前記容器を覆って、前記容器から生じる香りを閉じ込める蓋体とを備え、前記容器及び前記蓋体は、複数設けられ、前記台に設けられた複数の凹所内にそれぞれ前記容器が接着材を介して前記台に固定され、前記凹所の内壁に前記蓋体の外壁がそれぞれ当接し、使用時、前記蓋体を前記台から離間させて、前記蓋体内の香りを嗅ぎ、不使用時、前記蓋体の開口部を前記台に当接して、前記容器から生じる香りを前記蓋体内に閉じ込めるため、使用後は、蓋体を容器を覆うように台に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体内の香り、つまり、蓋体内の空気により薄められた実際に使用する香りに近い香りを嗅ぐことができるため、香料の適否を確認することができ、香料の適否を確認することができ、更に、孔部付き蓋体の孔部を介して、棒状体の一端は、容器内の香料内に、棒状体の他端は、外気に位置しているため、容器内の香料が直接、外気に触れず、容器内の香料の酸化を防ぐことができ、また、容器が接着材を介して台に固定されているため、容器を秩序良く陳列保持することができると共に、容器の盗難を防止することができ、また、蓋体の外壁が凹所の内壁に当接するため、蓋体の倒れを防止することができる。
【００１８】
また、請求項５記載の試香体によれば、香料が入った容器と、この容器をのせる台と、 この台に当接し、前記台に置かれた前記容器を覆って、前記容器から生じる香りを閉じ込める蓋体とを備えているため、蓋体を台から離間させて、前記蓋体内の香りを嗅ぐことができ、使用後は、蓋体を容器を覆うように台に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体内の香り、つまり、蓋体内の空気により薄められた実際に使用する香りに近い香りを嗅ぐことができるため、香料の適否を確認することができる。
【００１９】
また、請求項６記載の試香体によれば、香料が入った容器と、この容器をのせる台と、前記容器の開口部を覆う孔部を有する孔部付き蓋体と、この孔部付き蓋体の前記孔部を介して、一端を前記容器内の香料内に、他端を外気に位置し、前記香料を毛細管現象により吸い上げる棒状体と、前記台に当接し、前記台に置かれた前記容器を覆って、前記容器から生じる香りを閉じ込める蓋体とを備えているため、蓋体を台から離間させて、前記蓋体内の香りを嗅ぐことができ、使用後は、蓋体を容器を覆うように台に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体内の香り、つまり、蓋体内の空気により薄められた実際に使用する香りに近い香りを嗅ぐことができるため、香料の適否を確認することができ、更に、孔部付き蓋体の孔部を介して、棒状体の一端は、容器内の香料内に、棒状体の他端は、外気に位置しているため、容器内の香料が直接、外気に触れず、容器内の香料の酸化を防ぐことができる。
【００２０】
また、請求項７記載の試香体によれば、上述した請求項５又は請求項６記載の発明の効果に加え、容器は台に接着材を介して取り付けられているため、容器の倒れを防止することができる。
【００２１】
また、請求項８記載の試香体によれば、上述した請求項５又は請求項６は請求項７記載の発明の効果に加え、台に設けられた凹所内に容器が載置され、前記凹所の内壁に蓋体の外壁が当接しているため、蓋体の倒れを防止することができる。
【００２２】
また、請求項９記載の試香体によれば、上述した請求項６記載の発明の効果に加え、棒状体の他端に球体を取り付け、この球体の球面を孔部の縁部に当接させるため、孔部３ａと棒状体４との間隙を少なくするため、容器内の香料の酸化をより防ぐことができる。
【図面の簡単な説明】
【００２３】
【図１】図１は、本発明の一実施例の展示用試香体の陳列状態を示す写真である。
【図２】図２は、図１の一部を示す写真である。
【図３】図３は、図２の展示用試香体から蓋体を取り外した状態を示す写真である。
【図４】図４は、図２の展示用試香体を分解して示す写真である。
【図５】図５は、図４の孔部付き蓋体を斜め上方から撮った写真である。
【図６】図６は、図４の孔部付き蓋体を上方から撮った写真である。
【発明を実施するための形態】
【００２４】
本発明の一実施例の試香方法、展示用試香体及び試香体を図面（図１乃至図６）を参照して説明する。
図１及び図２に示すＳは展示用試香体で、展示用試香体Ｓは、香料が入った容器１、容器１をのせる台２、容器１の開口部を覆う孔部３ａを有する孔部付き蓋体３（図３乃至、孔部付き蓋体３の孔部３ａを介して、一端を容器１内の香料内に、他端を外気に位置し、前記香料を毛細管現象により吸い上げる棒状体４、台２に当接し、台２に置かれた容器１を覆って、容器１から生じる香りを閉じ込める蓋体５を備えている。
容器１及び蓋体２は、図１及び図２に示すように、複数設けられている。なお、棒状体４は、例えば、木製で、棒状体４の他端に木製の球体６を取り付けている。望ましくは、球体６の球面を孔部３ａの縁部に当接させて、孔部３ａと棒状体４との間隙を少なくするのが良い。更に、望ましくは、孔部３ａと棒状体４との間隙をシール部材（図示せず）
でシールするようにする。なお、５Ａは、蓋体５を手で把持し易いための摘み部である。
【００２５】
また、台２に設けられた複数の凹所２Ａ内にそれぞれ容器１が接着材［接着材は、図示しないが、容器１の底に両面テープ（薄膜状の基材などを 利用して接着剤を両面から接着できるようなシート状に加工し、その表面に剥離紙を 取り付けて細長い帯状にした文房具である。）を付着させるか、又は、凹所２Ａに両面テープを付着させる。］ を介して台２に固定され、凹所２Ａの内壁２Ａ１に蓋体５の外壁５Ｂがそれぞれ当接する。    そして、使用時、図３に示すように、蓋体５を台２から離間させて、蓋体５内の香りを嗅ぎ、不使用時、図２に示すように、蓋体５の開口部を台２に当接して、容器２から生じる香りを蓋体２内に閉じ込めるようにしている。
【００２６】
従って、上述した展示用試香体Ｓによれば、香料が入った容器１と、この容器１をのせる台２と、容器１の開口部を覆う孔部３ａを有する孔部付き蓋体３と、この孔部付き蓋体３の孔部３ａを介して、一端を容器１内の香料内に、他端を外気に位置し、前記香料を毛細管現象により吸い上げる棒状体４と、台２に当接し、台２に置かれた容器１を覆って、容器１から生じる香りを閉じ込める蓋体５とを備え、容器１及び蓋体５は、複数設けられ、台２に設けられた複数の凹所２Ａ内にそれぞれ容器１が接着材（図示せず）を介して台２に固定され、凹所２Ａの内壁２Ａ１に蓋体５の外壁５Ａがそれぞれ当接し、使用時、蓋体５を台２から離間させて、蓋体５内の香りを嗅ぎ、不使用時、蓋体５の開口部を台２に当接して、容器１から生じる香りを蓋体５内に閉じ込めるため、使用後は、蓋体５を容器１を覆うように台２に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体５内の香り、つまり、蓋体５内の空気により薄められた実際に使用する香りに近い香りを嗅ぐことができるため、香料の適否を確認することができ、更に、孔部付き蓋体３の孔部３ａを介して、棒状体４の一端は、容器１内の香料内に、棒状体４の他端は、外気に位置しているため、容器１内の香料が直接、外気に触れず、容器１内の香料の酸化を防ぐことができ、また、容器１が接着材（図示せず）を介して台２に固定されているため、容器１を秩序良く陳列保持することができると共に、容器１の盗難を防止することができ、また、蓋体５の外壁５Ｂが凹所２Ａ１の内壁に当接するため、蓋体５の倒れを防止することができる。
【００２７】
なお、上述した実施例にあっては、台２に設けられた複数の凹所２Ａ内にそれぞれ容器１が接着材（図示せず） を介して台２に固定され、凹所２Ａの内壁２Ａ１に蓋体５の外壁５Ａがそれぞれ当接するようにし、また、棒状体４を設けるようにしたが、場合により、凹所２Ａ及び棒状体４を省略するようにしても良い。
かかる場合の展示用試香体Ｓは、香料が入った容器１と、この容器１を複数のせる台２と、この台２に当接し、台２に置かれた容器１を覆って、容器１から生じる香りを閉じ込める蓋体５とを備え、容器１及び蓋体５は、複数設けられ、複数の容器１は接着材（図示せず）を介して台２に固定され、使用時、蓋体５を台２から離間させて、蓋体５内の香りを嗅ぎ、不使用時、蓋体５の開口部を台２に当接して、容器１から生じる香りを蓋体５内に閉じ込めるようにしても良い。
【００２８】
また、上述した実施例にあっては、容器１及び蓋体５を複数設けるようにしたが、場合により、容器１及び蓋体５は、少なくとも、１個あれば良く、展示用に限られない。
かかる場合の試香体は、香料が入った容器１と、この容器１をのせる台２と、容器１の開口部を覆う孔部３ａを有する孔部付き蓋体３と、この孔部付き蓋体３の孔部３ａを介して、一端を容器１内の香料内に、他端を外気に位置し、前記香料を毛細管現象により吸い上げる棒状体４と、台２に当接し、台２に置かれた容器１を覆って、容器１から生じる香りを閉じ込める蓋体５とを備えている。
上述した試香体（試香方法）によれば、香料が入った容器１と、この容器１をのせる台２と、容器１の開口部を覆う孔部３ａを有する孔部付き蓋体３と、この孔部付き蓋体３の孔部３ａを介して、一端を容器１内の香料内に、他端を外気に位置し、前記香料を毛細管現象により吸い上げる棒状体４と、台２に当接し、台２に置かれた容器１を覆って、容器１から生じる香りを閉じ込める蓋体５とを備え、蓋体５を台２から離間させて、蓋体５内の香りを嗅ぐため、使用後は、蓋体５を容器１を覆うように台２に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体５内の香り、つまり、蓋体５内の空気により薄められた実際に使用する香りに近い香りを嗅ぐことができるため、香料の適否を確認することができ、更に、孔部付き蓋体３の孔部３ａを介して、棒状体４の一端は、容器１内の香料内に、棒状体４の他端は、外気に位置しているため、容器１内の香料が直接、外気に触れず、容器１内の香料の酸化を防ぐことができる。
なお、この実施例においても、場合により、棒状体４を省略するようにしても良い。
棒状体４を省略した試香体は、香料が入った容器１と、この容器１をのせる台２と、この台２に当接し、台２に置かれた容器１を覆って、容器１から生じる香りを閉じ込める蓋体５とを備え、蓋体５を台２から離間させて、蓋体５内の香りを嗅ぐことができるものである。
この棒状体４を省略した試香体（試香方法）によれば、香料が入った容器１と、この容器１をのせる台２と、この台２に当接し、台２に置かれた容器１を覆って、容器１から生じる香りを閉じ込める蓋体５とを備え、蓋体５を台２から離間させて、蓋体５内の香りを嗅ぐため、使用後は、蓋体５を容器１を覆うように台２に当接すれば良く、従来のように、香料が入った容器の蓋を一々開閉しなくて良く、その分、使用勝手を向上させることができ、しかも、従来のような「香料が入った容器の蓋を開けて香料を嗅ぐ場合の濃縮された強い香り」でなく、蓋体５内の香り、つまり、蓋体５内の空気により薄められたより自然な香りを嗅ぐことができ、香料の適否を確認することができる。
【符号の説明】
【００２９】
Ｓ      展示用試香体
１      容器
２      台
５      蓋体
【図１】
2018083865.tif 000003
【図２】
2018083865.tif 000004
【図３】
2018083865.tif 000005
【図４】
2018083865.tif 000006
【図５】
2018083865.tif 000007
【図６】
2018083865.tif 000008